(57)【要約】【課題】  ＶＨＦ帯およびＵＨＦ帯での良好なアンテナ利得を得ることができる線状アンテナを提供する。【解決手段】  同軸ケーブル１８をＶＨＦエレメント１５とする。同軸ケーブル１８の接地線１７側を第１インダクタ１０と第２インダクタ１４で分断し、第１インダクタ１０と第２インダクタ１４の間をＵＨＦエレメント８とする。第１インダクタ１０と第１接地線１３との接続点近辺の分岐点１１からキャパシタ９を経由して信号線１６に接続する。第１インダクタ１０と第１接地線１３との接続点近辺からイヤホンジャック６までの距離７はＵＨＦ帯周波数の波長の略８分の１より短い値とする。同軸ケーブル１８と音声信号線１９との間隔１２は密着しないように数ｍｍ以上離す。【選択図】  図１
2006345307.tif 000002
【特許請求の範囲】
【請求項１】
信号線と接地線からなる同軸ケーブルがコネクタのＲＦ接栓に接続された線状アンテナであって、
前記信号線及び接地線を第１の周波数に対応した第１のアンテナエレメントとし、
前記第１の周波数よりも高い第２の周波数を遮断する第１及び第２のインダクタを前記接地線上に前記ＲＦ接栓側から順に配置するとともに、両インダクタ間の前記第１のインダクタの近傍点と前記信号線との間に前記第１の周波数よりも低い第３の周波数を遮断するキャパシタを配置し、前記接地線の前記両インダクタ間及び前記信号線の前記キャパシタとの接続位置から前記ＲＦ接栓までを前記第２のアンテナエレメントとしたことを特徴とする線状アンテナ。
【請求項２】
信号線と接地線からなる同軸ケーブルとイヤホン用の音声線とがコネクタのＲＦ接栓に接続された線状アンテナであって、
前記信号線及び接地線を第１の周波数に対応した第１のアンテナエレメントとし、
前記第１の周波数よりも高い第２の周波数を遮断する第１及び第２のインダクタを前記音声線上に前記ＲＦ接栓側から順に配置するとともに、両インダクタ間の前記第１のインダクタの近傍点と前記信号線との間に前記第１の周波数よりも低い第３の周波数を遮断するキャパシタを配置し、前記音声線の前記両インダクタ間及び前記信号線の前記キャパシタとの接続位置から前記ＲＦ接栓までを前記第２のアンテナエレメントとしたことを特徴とする線状アンテナ。
【請求項３】
イヤホン用の音声信号線がコネクタのＲＦ接栓に接続された線状アンテナであって、
前記音声信号線を第１の周波数に対応した第１のアンテナエレメントとし、
前記音声信号線上に前記第１の周波数よりも高い第２の周波数を遮断するインダクタを配置し、前記ＲＦ接栓とは反対側の前記インダクタの近傍点と前記ＲＦ接栓とを前記音声信号線とは別の接続線で接続するとともに、前記音声信号線上の前記近傍点よりも前記ＲＦ接栓から離れた位置に補助エレメントを配置し、前記補助エレメントから前記接続線を経由した前記ＲＦ接栓までを前記第２の周波数に対応した第２のアンテナエレメントとしたことを特徴とする線状アンテナ。
【請求項４】
信号線と接地線からなる同軸ケーブルがコネクタのＲＦ接栓に接続された線状アンテナであって、
前記信号線及び接地線を第１の周波数に対応した第１のアンテナエレメントとし、
前記信号線上に補助エレメントを配置し、前記補助エレメントから前記ＲＦ接栓までを前記第１の周波数よりも高い第２の周波数に対応した第２のアンテナエレメントとしたことを特徴とする線状アンテナ。
【請求項５】
前記接地線上の前記ＲＦ接栓から前記第１のインダクタの前記近傍点側までの距離は前記第２の周波数の波長の略８分の１より短い値であることを特徴とする請求項１に記載の線状アンテナ。
【請求項６】
前記補助エレメントは、前記第１の周波数よりも低い第３の周波数を遮断するキャパシタを介して配置されたことを特徴とする請求項３又は請求項４に記載の線状アンテナ。
【請求項７】
前記音声信号線上の前記補助エレメントよりも前記ＲＦ接栓から離れた位置に前記第２の周波数を遮断するインダクタを設けたことを特徴とする請求項３に記載の線状アンテナ。
【請求項８】
前記信号線上の前記補助エレメントよりも前記ＲＦ接栓から離れた位置に前記第２の周波数を遮断するインダクタを設けたことを特徴とする請求項４に記載の線状アンテナ。
【発明の詳細な説明】
【技術分野】
【０００１】
本発明は、テレビ放送のＶＨＦ帯およびＵＨＦ帯電波を受信する線状アンテナに関する。
【背景技術】
【０００２】
（背景技術１）
ＦＭアンテナとして使用されるヘッドホンがある（例えば、特許文献１参照。）。この特許文献１のヘッドホンは、プラグにオーディオ信号供給用のコードの一端が接続され、コードの他端に音響ユニットが接続される。このコードの中間に高周波チョークコイルを設け、プラグと高周波チョークコイル間のコードの長さをＦＭ周波数の４分の１波長にして、プラグと高周波チョークコイル間のコードをＦＭアンテナとして使用している。これにより、ヘッドホンのオーディオ信号供給用のコードをＦＭアンテナとしても共用している。
【０００３】
（背景技術２）
無線信号の受信機能を有したアンテナ内蔵型ヘッドホンがある（例えば、特許文献２参照。）。この特許文献２のアンテナ内蔵型ヘッドホンは、接続プラグと、コードと、使用者の頭部に装着するバンド部とが接続された構造である。コードは、音響専用コードとアンテナ専用の３本の同軸ケーブルとが内蔵されている。バンド部は、前述の３本の同軸ケーブルの中心導体からなるアンテナを内蔵している。この３本の同軸ケーブルの中心導体は、それぞれ、テレビのＬ−ＶＨＦ帯、Ｈ−ＶＨＦ帯、ＵＨＦ帯の中心周波数の波長のＮ分の１（２分の１または４分の１等）の長さであり、それぞれの中心周波数に対して受信感度が最も高くなる。これにより、テレビのＬ−ＶＨＦ帯、Ｈ−ＶＨＦ帯、ＵＨＦ帯を受信することができる。
【特許文献１】特開平９−３３１２０９号公報（第３頁、図１）
【特許文献２】特開２００３−２７４４７７号公報（第３〜５頁、図１、図２、図５）
【発明の開示】
【発明が解決しようとする課題】
【０００４】
従来の背景技術１に開示されたヘッドホンでは、ＦＭ周波数帯のみしか受信できないという問題がある。  
従来の背景技術２に開示されたアンテナ内蔵型ヘッドホンでは、接続プラグとバンド部間の距離が長いために、特にＵＨＦ帯の伝送ロスが大きいという問題がある。また、バンド部に３本の同軸ケーブルの中心導体からなるアンテナが隙間無く内蔵されているために、干渉が生じるという問題がある。  
本発明は、上記の問題点を解決するためになされたもので、ＶＨＦ帯およびＵＨＦ帯での良好なアンテナ利得を得ることができる線状アンテナを提供することを目的とする。
【課題を解決するための手段】
【０００５】
上記目的を達成するために、本発明の線状アンテナは、信号線と接地線からなる同軸ケーブルがコネクタのＲＦ接栓に接続された線状アンテナであって、前記信号線及び接地線を第１の周波数に対応した第１のアンテナエレメントとし、前記第１の周波数よりも高い第２の周波数を遮断する第１及び第２のインダクタを前記接地線上に前記ＲＦ接栓側から順に配置するとともに、両インダクタ間の前記第１のインダクタの近傍点と前記信号線との間に前記第１の周波数よりも低い第３の周波数を遮断するキャパシタを配置し、前記接地線の前記両インダクタ間及び前記信号線の前記キャパシタとの接続位置から前記ＲＦ接栓までを前記第２のアンテナエレメントとしたことを特徴とする。
【発明の効果】
【０００６】
本発明によれば、ＶＨＦ帯およびＵＨＦ帯での良好なアンテナ利得を得ることができる。また、イヤホン等と共用した線状アンテナとすることができる。
【発明を実施するための最良の形態】
【０００７】
以下、本発明の実施例を、図面を参照して説明する。
【実施例１】
【０００８】
実施例１は、アンテナ目的で同軸ケーブルを追加し、これをイヤホン用の音声信号線と所定の間隔以上離して一体化したイヤホンアンテナに関する。  
図１は、本発明の実施例１に係るイヤホンアンテナ（線状アンテナ）の回路図である。イヤホンアンテナ１０１は、接栓１〜５を有するイヤホンジャック６（コネクタ）、同軸ケーブル１８、音声信号線１９、左用音響ユニット２０、右用音響ユニット２１等から構成される。イヤホンジャック６は、携帯端末との接続用である。接栓１〜２は、イヤホンアンテナ１０１が受信したテレビ放送の無線信号を携帯端末へ供給するためのＲＦ接栓である。接栓３〜５は、携帯端末からの音声信号をイヤホンアンテナ１０１の音響ユニット２０、２１へ供給するための音声接栓である。音声信号線１９の３本の内、真中の線は共通リターン線である。
【０００９】
同軸ケーブル１８の信号線１６は、接栓１に接続される。同軸ケーブル１８の接地線１７側は、第１インダクタ１０と第２インダクタ１４で直列に分断されて、接栓２に接続される。第１インダクタ１０と第２インダクタ１４の間を第１接地線１３とする。この第１インダクタ１０と第２インダクタ１４は、接地線１７側を、直流や低周波数に対しては接地線として機能させ、テレビ放送の周波数帯としては接地線とならないように阻止するためのものである。
【００１０】
第１インダクタ１０と第１接地線１３との接続点近辺の分岐点１１からキャパシタ９を経由して信号線１６に接続する。このキャパシタ９は、同軸ケーブル１８に発生する直流や低周波数のカット用である。この構成において、接栓１からキャパシタ９を経由して第１接地線１３を含む第２インダクタ１４の手前までをＵＨＦエレメント８とし、このＵＨＦエレメント８の長さをテレビ放送のＵＨＦ帯の周波数の波長の略λ／２、λ／４、３λ／４等として、ＵＨＦアンテナとして機能する。また、同軸ケーブル１８全体は、長さをテレビ放送のＶＨＦ帯の周波数の波長の略λ／２、λ／４、３λ／４等として、ＶＨＦエレメント１５として機能する。
【００１１】
第１インダクタ１０と第１接地線１３の接続点近辺からイヤホンジャック６までの距離７は、後で説明する（図７〜図９）。また同軸ケーブル１８と音声信号線１９間の間隔１２も後で説明する（図７〜図９）。同軸ケーブル１８と音声信号線１９は一体に保持されて、イヤホンアンテナ１０１全体がアンテナとイヤホンを兼ねる。
【００１２】
図２は、本発明の実施例１に係るイヤホンアンテナの配置例を説明する図である。図１の回路図の部品をどう配置するかを表すものであり、図１と同じものには同一番号を付けて説明する。イヤホンアンテナ１０２は、第１インダクタ１０およびキャパシタ９をイヤホンジャック６の内部に配置し、第２インダクタ１４を配置するための中継基板２２を設けた例である。第１インダクタ１０と第１接地線１３の接続点近辺からイヤホンジャック６までの距離７は零に相当する。これにより、距離７＝零とした場合には、中継基板２２のみで配置することができる。
【００１３】
図３は、本発明の実施例１に係るイヤホンアンテナの他の配置例を説明する図である。イヤホンアンテナ１０３は、第１インダクタ１０と第１接地線１３の接続点近辺からイヤホンジャック６までの距離７がＬなる値を有する場合である。第１インダクタ１０およびキャパシタ９を配置するための中継基板２３を設けた例である。中継基板２２および中継基板２３を設けることにより部品を配置することができる。
【００１４】
図４は、本発明の実施例１に係る図１〜図３のイヤホンアンテナが接続される携帯端末の関連部分の回路図である。携帯端末２０１の関連部分は、接栓８１〜８５を有するイヤホンジャック８６、電波受信部８７、音声出力部８８などにより構成される。イヤホンアンテナのイヤホンジャック６と携帯端末２０１のイヤホンジャック８６とが接続される。イヤホンアンテナからの無線信号は電波受信部８７で受信される。音声出力部８８からの音声信号は、イヤホンアンテナの音声信号線１９を経由して音響ユニット２０、２１をドライブする。
【００１５】
図５および図６は、本発明の実施例１に係るイヤホンアンテナおよび携帯端末の他の配置例を説明する図であり、イヤホンアンテナの部品を一部、携帯端末に分散配置した例である。  
図５は、イヤホンアンテナの回路図である。図１と同じものには同一番号を付けて説明する。イヤホンアンテナ１０４は、イヤホンアンテナ１０１（図１）から第１インダクタ１０とキャパシタ９を除いた構造である。この除いた第１インダクタ１０とキャパシタ９を携帯端末側に配置する。  
図６は、イヤホンアンテナ１０４（図５）が接続される携帯端末の関連部分の接続図である。携帯端末２０１（図４）と同じものには同一番号を付けて説明する。携帯端末２０２の接栓８１、８２と電波受信部８７との間に、イヤホンアンテナ１０４（図５）で除かれた第１インダクタ１０とキャパシタ９を接続する。  
第１インダクタ１０と第１接地線１３の接続点近辺からイヤホンジャック６までの距離（図示せず）は零に相当する。このように、携帯端末側に余裕がある場合には、携帯端末に部品を配置することにより、イヤホンアンテナの構造を簡単にすることができる。
【００１６】
図７は、本発明の実施例１に係るイヤホンアンテナの実験データのグラフである。イヤホンアンテナ１０１（図１）の受信性能を表し、横軸は、周波数チャンネルとして、ＦＭ（７６〜９０ＭＨｚ）、ＴＶの１ｃｈ〜１２ｃｈ（ＶＨＦ９０〜２２０ＭＨｚ）、ＴＶの１３ｃｈ〜６２ｃｈ（ＵＨＦ４７０〜７７０ＭＨｚ）とし、縦軸は、各周波数チャンネルにおける受信レベル［ｄＢｍ］を示す。グラフの点線は、イヤホンアンテナ１０１のＵＨＦエレメント８が無い状態、つまり、キャパシタ９を削除、第１インダクタ１０を短絡、第２インダクタ１４を短絡した状態での受信性能である。
【００１７】
グラフの実線は、イヤホンアンテナ１０１どおりにＵＨＦエレメント８が有る状態での受信性能である。ＵＨＦエレメント８を備えることにより、ＵＨＦ帯での受信性能がグラフの点線に比べて向上している。このＵＨＦエレメント８が有る状態については、同軸ケーブル１８と他の線（音声信号線１９）との間隔１２、および第１インダクタ１０と第１接地線１３の接続点近辺からイヤホンジャック６までの距離７を変化させてデータを取っており、以下に説明する。
【００１８】
図８は、本発明の実施例１に係るイヤホンアンテナの実験データを数値化した図である。実験データのグラフ（図７）について、ＵＨＦ帯（１３ｃｈ〜６２ｃｈ）の各チャンネルの受信レベルの平均値を算出したものである。ＵＨＦエレメント８が有る状態（符号３０２）については、同軸ケーブル１８と他の線（音声信号線１９）との間隔１２をパラメータとして、「密着」、「４ｍｍ」、「８ｍｍ」と変化させたときの受信性能データである。間隔１２は、厳密には、音声信号線１９の３本の線材の内、最も同軸ケーブル１８の接地線１７に近い線材との間隔である。これらを、ＵＨＦエレメント８が無い状態（符号３０１）と比較している。他の条件として、ＵＨＦエレメント８の長さは略、ＵＨＦ帯周波数の波長／４である。また、第１インダクタ１０と第１接地線１３の接続点近辺からイヤホンジャック６までの距離７は、０ｃｍである。
【００１９】
符号３０３欄は受信レベルの絶対値［ｄＢｍ］であり、符号３０４欄はＵＨＦエレメント８が無い状態を基準（０ｄＢ）として差を表す。この符号３０４欄に示すように、間隔１２が「密着」状態だと、ＵＨＦエレメント８が無い状態に比べて、「１．５ｄＢ」程度の効果しかない。間隔１２が「４ｍｍ」だと「４．８ｄＢ」の効果、間隔１２が「８ｍｍ」だと「６．６ｄＢ」の効果が現れる。このように、同軸ケーブル１８と他の線（音声信号線１９）との間隔１２を数ｍｍ以上離してＵＨＦエレメント８を配置することにより、ＵＨＦ帯の受信性能が向上する。
【００２０】
図９は、本発明の実施例１に係るイヤホンアンテナの他の実験データを数値化した図である。実験データのグラフ（図７）について、ＵＨＦ帯（１３ｃｈ〜６２ｃｈ）の各チャンネルの受信レベルの平均値を算出したものである。ＵＨＦエレメント８が有る状態（符号４０２）については、第１インダクタ１０と第１接地線１３の接続点近辺からイヤホンジャック６までの距離７をパラメータとして、「０ｃｍ」、「４ｃｍ」、「８ｃｍ」と変化させたときの受信性能データである。これらを、ＵＨＦエレメント８が無い状態（符号４０１）と比較している。他の条件として、ＵＨＦエレメント８の長さは略、ＵＨＦ帯周波数の波長の４分の１である。また、同軸ケーブル１８と他の線（音声信号線１９）との間隔１２は十分離している。
【００２１】
符号４０３欄は受信レベルの絶対値［ｄＢｍ］であり、符号４０４欄はＵＨＦエレメント８が無い状態を基準（０ｄＢ）として差を表す。この符号４０４欄に示すように、距離７が「８ｃｍ」だと、ＵＨＦエレメント８が無い状態に比べて、「−２．２ｄＢ」で効果がない。距離７が「０ｃｍ」だと、「３．０ｄＢ」の効果、距離７が「４ｃｍ」だと、「１．１ｄＢ」の効果が現れる。ＵＨＦ帯周波数４７０〜７７０ＭＨｚの波長は、６４ｃｍ〜３９ｃｍであり、距離７＝４ｃｍは、最短波長の略８分の１以下に相当する。このように、距離７をＵＨＦ帯波長の略８分の１以下となるようにＵＨＦエレメント８をイヤホンジャック６の近傍に配置することにより、ＵＨＦ帯の受信性能が向上する。
【００２２】
本発明の実施例１によれば、携帯端末に本来接続されて使用されるイヤホン用の音声信号線に、同軸ケーブルのアンテナを所定間隔以上離して一体化することにより、イヤホンアンテナとして共用することができる。また、同軸ケーブルのアンテナは、ＵＨＦとＶＨＦの両方に対応することができる。
【００２３】
なお、イヤホン用の音声信号線の代わりに、携帯端末に本来接続されて使用されるリモコンコードや充電ケーブルを用いて、それらと同軸ケーブルとを所定間隔以上離して一体化した線状アンテナであってもよい。  
また、携帯端末をぶらさげるためのストラップの中に同軸ケーブルのアンテナを一体化した線状アンテナであってもよい。  
また、他のコード等と一体化せずに、同軸ケーブルのみの線状アンテナであってもよい。
【実施例２】
【００２４】
実施例２は、同軸ケーブルをＶＨＦアンテナとして機能させ、イヤホン用の音声信号線の一部をＵＨＦアンテナとして機能させ、これらを一体化したイヤホンアンテナに関する。  
図１０は、本発明の実施例２に係るイヤホンアンテナの回路図である。図１（実施例１）と同じものには同一番号を付けて説明する。イヤホンアンテナ１０５は、接栓１〜５を有するイヤホンジャック６、同軸ケーブル１８、音声信号線１９、左用音響ユニット２０、右用音響ユニット２１等から構成される。イヤホンジャック６は、携帯端末との接続用である。接栓１〜２は、イヤホンアンテナ１０５が受信したテレビ放送の無線信号を携帯端末へ供給するためのＲＦ接栓である。接栓３〜５は、携帯端末からの音声信号をイヤホンアンテナ１０１の音響ユニット２０、２１へ供給するための音声接栓である。
【００２５】
同軸ケーブル１８の信号線１６は、接栓１に接続される。同軸ケーブル１８の接地線１７側は、接栓２に接続される。接栓３、４、５から分離用のインダクタ３２、第１インダクタ３３、およびインダクタ３４を経由して音声信号線１９が接続される。音声信号線１９の共通リターン線は、第１インダクタ３３と第２インダクタ３７で直列に分断され、第１インダクタ３３と第２インダクタ３７間を第１音声信号線３６とする。この第１インダクタ３３と第２インダクタ３７は、低周波数の音声信号は通し、テレビ放送の周波数帯は阻止するためのものである。
【００２６】
第１インダクタ３３と第１音声信号線３６との接続点近辺から分岐してキャパシタ３１を信号線１６に接続する。このキャパシタ３１は、直流や低周波数のカット用である。この構成において、接栓１からキャパシタ３１を経由して第１音声信号線３６を含む第２インダクタ３７の手前までをＵＨＦエレメント３８とし、このＵＨＦエレメント３８の長さをテレビ放送のＵＨＦ帯の周波数の波長の略λ／２、λ／４、３λ／４等として、ＵＨＦアンテナとして機能する。また、同軸ケーブル１８全体は、長さをテレビ放送のＶＨＦ帯の周波数の波長の略λ／２、λ／４、３λ／４等として、ＶＨＦエレメント１５として機能する。
【００２７】
第１インダクタ３３と第１音声信号線３６の接続点近辺からイヤホンジャック６までの距離７、および同軸ケーブル１８と音声信号線１９間の間隔１２については、高周波的には、実施例１のイヤホンアンテナの実験データ（図７〜図９）と同様であり、説明を省略する。  
同軸ケーブル１８と音声信号線１９は一体に保持されて、イヤホンアンテナ１０５全体がアンテナとイヤホンを兼ねる。  
このイヤホンアンテナ１０５が接続される携帯端末の関連部分は、携帯端末２０１（図４）と同じであり、説明を省略する。
【００２８】
図１１および図１２は、本発明の実施例２に係るイヤホンアンテナおよび携帯端末の他の配置例を説明する図であり、イヤホンアンテナの部品を一部、携帯端末に分散配置した例である。  
図１１は、イヤホンアンテナの回路図である。イヤホンアンテナ１０５（図１０）と同じものには同一番号を付けて説明する。イヤホンアンテナ１０６は、イヤホンアンテナ１０５からインダクタ３２、第１インダクタ３３、インダクタ３４、およびキャパシタ３１を除いた構造である。この除いたインダクタ３２、第１インダクタ３３、インダクタ３４、およびキャパシタ３１を携帯端末側に配置する。  
図１２は、イヤホンアンテナ１０６（図１１）が接続される携帯端末の関連部分の接続図である。携帯端末２０１（図４）と同じものには同一番号を付けて説明する。携帯端末２０３の接栓８３、８４、８５と音声出力部８８との間に、イヤホンアンテナ１０６で除かれたインダクタ３２、第１インダクタ３３、インダクタ３４を接続する。また、接栓８４と第１インダクタ３３の接続点近辺から分岐してキャパシタ３１を接栓８１の信号線に接続する。  
第１インダクタ３３と第１音声信号線３６の接続点近辺からイヤホンジャック６までの距離（図示せず）は零に相当する。このように、携帯端末側に余裕がある場合には、携帯端末に部品を配置することにより、イヤホンアンテナの構造を簡単にすることができる。
【００２９】
本発明の実施例２によれば、携帯端末に本来接続されて使用されるイヤホン用の音声信号線の一部をＵＨＦアンテナとして機能させることができる。また、音声信号線から所定間隔以上離して設置した同軸ケーブルをＶＨＦアンテナとして機能させることができる。そして、音声信号線と同軸ケーブルを一体化することにより、イヤホンアンテナとして共用することができる。  
なお、イヤホン用の音声信号線の代わりに、携帯端末に本来接続されて使用されるリモコンコードや充電ケーブルを用いて、それらと同軸ケーブルとを所定間隔以上離して一体化した線状アンテナであってもよい。
【実施例３】
【００３０】
実施例３は、イヤホン用の音声信号線をＶＨＦエレメントとし、その途中から分岐したＵＨＦエレメントを設けたイヤホンアンテナに関する。  
図１３は、本発明の実施例３に係るイヤホンアンテナの回路図である。図１（実施例１）および図１０（実施例２）と同じものには同一番号を付けて説明する。イヤホンアンテナ１０７は、接栓１および接栓３〜５を有するイヤホンジャック６、音声信号線１９、左用音響ユニット２０、右用音響ユニット２１、ＵＨＦエレメント４１等から構成される。イヤホンジャック６は、携帯端末との接続用である。接栓１は、イヤホンアンテナ１０７が受信したテレビ放送の無線信号を携帯端末へ供給するためのＲＦ接栓である。接栓３〜５は、携帯端末からの音声信号をイヤホンアンテナ１０７の音響ユニット２０、２１へ供給するための音声接栓である。
【００３１】
接栓３、４、５から分離用のインダクタ３２、第１インダクタ３３、およびインダクタ３４を経由して音声信号線１９が接続される。音声信号線１９の共通リターン線は、第１インダクタ３３で直列に分断され、第１インダクタ３３と音響ユニット２０、２１間を第１音声信号線４２とする。この第１インダクタ３３は、低周波数の音声信号は通し、テレビ放送の周波数帯は阻止するためのものである。
【００３２】
第１インダクタ３３と第１音声信号線４２との接続点近辺から直接分岐してＵＨＦエレメント４１を設ける。この構成において、接栓１から分岐点３５を経由してＵＨＦエレメント４１を含む線の長さをテレビ放送のＵＨＦ帯の周波数の波長の略λ／２、λ／４、３λ／４等として、ＵＨＦアンテナとして機能する。また、第１音声信号線４２は、長さをテレビ放送のＶＨＦ帯の周波数の波長の略λ／２、λ／４、３λ／４等として、ＶＨＦエレメント４３として機能する。
【００３３】
第１インダクタ３３と第１音声信号線４２の接続点近辺からイヤホンジャック６までの距離７、およびＵＨＦエレメント４１と音声信号線１９間の間隔１２については、高周波的には、実施例１のイヤホンアンテナの実験データ（図７〜図９）と同様であり、説明を省略する。  
ＵＨＦエレメント４１と音声信号線１９は一体に保持されて、イヤホンアンテナ１０７全体がアンテナとイヤホンを兼ねる。
【００３４】
図１４は、本発明の実施例３に係るイヤホンアンテナの他の回路図である。イヤホンアンテナ１０７（図１３）と同じものには同一番号を付けて説明する。イヤホンアンテナ１０８では、分岐点３５とＵＨＦエレメント４１の間にキャパシタ３１を設けて分離回路４４とする。キャパシタ３１は、直流および低周波数の音声周波数を阻止する。  
図１５は、本発明の実施例３に係るイヤホンアンテナの他の回路図である。イヤホンアンテナ１０８（図１４）と同じものには同一番号を付けて説明する。イヤホンアンテナ１０９では、分岐点３５とＵＨＦエレメント４１の間にキャパシタ３１を設けると共に、分岐点３５と第１音声信号線４２との間の第２インダクタ４５を設けて分離回路４６とする。第２インダクタ４５は、ＵＨＦ帯は阻止するが、ＶＨＦ帯は通す値にする。  
なお、図１３〜図１５において、距離７＝零として、インダクタ３２、第１インダクタ３３、インダクタ３４、分岐点３５、キャパシタ３１、および第２インダクタ４５等を、イヤホンジャック６の内部に配置するようにしてもよい。その場合、ＵＨＦエレメント４１は、イヤホンジャック６の内部から直接、外へ引き出される構造となる。
【００３５】
図１６は、本発明の実施例３に係る図１３〜図１５のイヤホンアンテナが接続される携帯端末の関連部分の回路図である。携帯端末２０４の関連部分は、接栓８１、接栓８３〜８５を有するイヤホンジャック８６、電波受信部８７、音声出力部８８などにより構成される。イヤホンアンテナのイヤホンジャック６と携帯端末２０４のイヤホンジャック８６とが接続される。イヤホンアンテナからの無線信号は電波受信部８７で受信される。音声出力部８８からの音声信号は、イヤホンアンテナの音声信号線１９を経由して音響ユニット２０、２１をドライブする。
【００３６】
図１７は、本発明の実施例３に係る携帯端末の関連部分の他の回路図である。この携帯端末２０５に接続されるイヤホンアンテナは図示しないが、図１３〜図１５のイヤホンアンテナのインダクタ３２、第１インダクタ３３、インダクタ３４を削除した構造である。そして、この削除したインダクタ３２、第１インダクタ３３、インダクタ３４を、携帯端末２０５に配置する。  
なお、更に、イヤホンアンテナからキャパシタ３１、第２インダクタ４５を削除して、それらを携帯端末に配置するようにしてもよい。
【００３７】
本発明の実施例３によれば、携帯端末に本来接続されて使用されるイヤホン用の音声信号線をＶＨＦアンテナとして機能させることができる。また、音声信号線から分岐したＵＨＦエレメントを設けてＵＨＦアンテナとして機能させることができる。そして、音声信号線と同軸ケーブルを一体化することにより、イヤホンアンテナとして共用することができる。  
なお、イヤホン用の音声信号線の代わりに、携帯端末に本来接続されて使用されるリモコンコードや充電ケーブルを用いて、それらとＵＨＦエレメントとを所定間隔以上離して一体化した線状アンテナであってもよい。
【実施例４】
【００３８】
実施例４は、同軸ケーブルをＶＨＦエレメントとし、その途中から分岐したＵＨＦエレメントを設けたイヤホンアンテナに関する。音声信号線はアンテナ機能上は無関係であり、同軸ケーブルと音声信号線を実装上一体化したものである。  
図１８は、本発明の実施例４に係るイヤホンアンテナの回路図である。図１（実施例１）と同じものには同一番号を付けて説明する。イヤホンアンテナ１１０は、接栓１および接栓３〜５を有するイヤホンジャック６、同軸ケーブル１８、音声信号線１９、左用音響ユニット２０、右用音響ユニット２１、ＵＨＦエレメント４１等から構成される。イヤホンジャック６は、携帯端末との接続用である。接栓１、２は、イヤホンアンテナ１１０が受信したテレビ放送の無線信号を携帯端末へ供給するためのＲＦ接栓である。接栓３〜５は、携帯端末からの音声信号をイヤホンアンテナ１１０の音響ユニット２０、２１へ供給するための音声接栓である。
【００３９】
同軸ケーブル１８の信号線１６の途中の分岐点５１から直接分岐したＵＨＦエレメント５２を設ける。この構成において、接栓１から分岐点５１を経由してＵＨＦエレメント５２を含む線の長さをテレビ放送のＵＨＦ帯の周波数の波長の略λ／２、λ／４、３λ／４等として、ＵＨＦアンテナとして機能する。また、同軸ケーブル１８は、長さをテレビ放送のＶＨＦ帯の周波数の波長の略λ／２、λ／４、３λ／４等として、ＶＨＦエレメント１５として機能する。
【００４０】
分岐点５１近辺からイヤホンジャック６までの距離７、およびＵＨＦエレメント５２と信号線１６間の間隔１２については、高周波的には、実施例１のイヤホンアンテナの実験データ（図７〜図９）と同様であり、説明を省略する。  
ＵＨＦエレメント５２と同軸ケーブル１８と音声信号線１９は一体に保持されて、イヤホンアンテナ１１０全体がアンテナとイヤホンを兼ねる。
【００４１】
図１９は、本発明の実施例４に係るイヤホンアンテナの他の回路図である。イヤホンアンテナ１１０（図１８）と同じものには同一番号を付けて説明する。イヤホンアンテナ１１１では、分岐点５１とＵＨＦエレメント５２の間にキャパシタ５３を設けて分離回路５４とする。キャパシタ５３は、直流および低周波数の音声周波数を阻止する。  
図２０は、本発明の実施例４に係るイヤホンアンテナの他の回路図である。イヤホンアンテナ１１１（図１９）と同じものには同一番号を付けて説明する。イヤホンアンテナ１１２では、分岐点５１とＵＨＦエレメント５２の間にキャパシタ５３を設けると共に、分岐点５１と信号線１６との間にインダクタ５５を設けて分離回路５６とする。インダクタ５５は、ＵＨＦ帯は阻止するが、ＶＨＦ帯は通す値にする。  
なお、図１８〜図２０において、距離７＝零として、キャパシタ５３およびインダクタ５５等を、イヤホンジャック６の内部に配置するようにしてもよい。その場合、ＵＨＦエレメント５２は、イヤホンジャック６の内部から直接、外へ引き出される構造となる。
【００４２】
本発明の実施例４によれば、同軸ケーブルをＶＨＦアンテナとして機能させることができる。また、同軸ケーブルの信号線から分岐したＵＨＦエレメントを設けてＵＨＦアンテナとして機能させることができる。そして、音声信号線と同軸ケーブルを一体化することにより、イヤホンアンテナとして共用することができる。  
なお、イヤホン用の音声信号線の代わりに、携帯端末に本来接続されて使用されるリモコンコードや充電ケーブルを用いて、それらと同軸ケーブルとを一体化した線状アンテナであってもよい。
【実施例５】
【００４３】
実施例５は、携帯端末とイヤホンアンテナの取り付け構造に関する。  
図２１は、本発明の実施例５に係るイヤホンアンテナを搭載した携帯端末の外観図である。携帯端末２０６は、実施例１〜実施例４で説明した携帯端末であり、正面に表示部８９、キー９０を備える。また、側面等にイヤホンジャック８６を備える。イヤホンアンテナ１１３は、実施例１〜実施例４で説明したイヤホンアンテナであり、イヤホンジャック６、ＵＨＦエレメント６１、音響ユニット２０、音響ユニット２１等から構成される。ＵＨＦエレメント６１は、実施例１〜実施例４で説明したいずれのＵＨＦエレメントであってもよい。
【００４４】
イヤホンジャック６をイヤホンジャック８６に取り付けた時に、ＵＨＦエレメント６１部分は、垂れ下がらない程度の剛性を有する構造とし、かつ、携帯端末２０６から遠ざかる方向に固定された構造とする。この図２１では、ＵＨＦエレメント６１部分は、正面から見て、時計の１時方向に延伸する。この方向は、時計の１２時から４時方向のように、携帯端末２０６本体に近づかない方向であればよい。ＵＨＦエレメント６１から音響ユニット２０、２１までのコード部分はフリー状態である。
【００４５】
本発明の実施例５によれば、イヤホンアンテナのコード部分がフリーに動く構造であっても、ＵＨＦエレメント６１部分が携帯端末２０６本体に近づくことはなくなり、周波数が高くて他の部分から影響を受けやすいＵＨＦ帯の電波を安定して受信することができる。
【図面の簡単な説明】
【００４６】
【図１】本発明の実施例１に係るイヤホンアンテナの回路図。
【図２】本発明の実施例１に係るイヤホンアンテナの配置例を説明する図。
【図３】本発明の実施例１に係るイヤホンアンテナの他の配置例を説明する図。
【図４】本発明の実施例１に係る図１〜図３のイヤホンアンテナが接続される携帯端末の関連部分の回路図。
【図５】本発明の実施例１に係るイヤホンアンテナおよび携帯端末の他の配置例を説明する図。
【図６】本発明の実施例１に係るイヤホンアンテナおよび携帯端末の他の配置例を説明する図。
【図７】本発明の実施例１に係るイヤホンアンテナの実験データのグラフ。
【図８】本発明の実施例１に係るイヤホンアンテナの実験データを数値化した図。
【図９】本発明の実施例１に係るイヤホンアンテナの他の実験データを数値化した図。
【図１０】本発明の実施例２に係るイヤホンアンテナの回路図。
【図１１】本発明の実施例２に係るイヤホンアンテナおよび携帯端末の他の配置例を説明する図。
【図１２】本発明の実施例２に係るイヤホンアンテナおよび携帯端末の他の配置例を説明する図。
【図１３】本発明の実施例３に係るイヤホンアンテナの回路図。
【図１４】本発明の実施例３に係るイヤホンアンテナの他の回路図。
【図１５】本発明の実施例３に係るイヤホンアンテナの他の回路図。
【図１６】本発明の実施例３に係る図１３〜図１５のイヤホンアンテナが接続される携帯端末の関連部分の回路図。
【図１７】本発明の実施例３に係る携帯端末の関連部分の他の回路図。
【図１８】本発明の実施例４に係るイヤホンアンテナの回路図。
【図１９】本発明の実施例４に係るイヤホンアンテナの他の回路図。
【図２０】本発明の実施例４に係るイヤホンアンテナの他の回路図。
【図２１】本発明の実施例５に係るイヤホンアンテナを搭載した携帯端末の外観図。
【符号の説明】
【００４７】
１〜５  接栓
６  イヤホンジャック
７  距離
８  ＵＨＦエレメント
９  キャパシタ
１０  第１インダクタ
１１  分岐点
１２  間隔
１３  第１接地線
１４  第２インダクタ
１５  ＶＨＦエレメント
１６  信号線
１７  接地線
１８  同軸ケーブル
１９  音声信号線
２０、２１  音響ユニット
２２  中継基板
２３  中継基板
３１  キャパシタ
３２  インダクタ
３３  第１インダクタ
３４  インダクタ
３５  分岐点
３６  第１音声信号線
３７  第２インダクタ
３８  ＵＨＦエレメント
４１  ＵＨＦエレメント
４２  第１音声信号線
４３  ＶＨＦエレメント
４４  分離回路
４５  第２インダクタ
４６  分離回路
５１  分岐点
５２  ＵＨＦエレメント
５３  キャパシタ
５４  分離回路
５５  インダクタ
５６  分離回路
６１  ＵＨＦエレメント
８１〜８５  接栓
８６  イヤホンジャック
８７  電波受信部
８８  音声出力部
８９  表示部
９０  キー
１０１〜１１３  イヤホンアンテナ
２０１〜２０６  携帯端末
【図１】
2006345307.tif 000003
【図２】
2006345307.tif 000004
【図３】
2006345307.tif 000005
【図４】
2006345307.tif 000006
【図５】
2006345307.tif 000007
【図６】
2006345307.tif 000008
【図７】
2006345307.tif 000009
【図８】
2006345307.tif 000010
【図９】
2006345307.tif 000011
【図１０】
2006345307.tif 000012
【図１１】
2006345307.tif 000013
【図１２】
2006345307.tif 000014
【図１３】
2006345307.tif 000015
【図１４】
2006345307.tif 000016
【図１５】
2006345307.tif 000017
【図１６】
2006345307.tif 000018
【図１７】
2006345307.tif 000019
【図１８】
2006345307.tif 000020
【図１９】
2006345307.tif 000021
【図２０】
2006345307.tif 000022
【図２１】
2006345307.tif 000023